(57)【要約】【課題】放電回路が故障した場合においても、平滑コンデンサの放電を行うと共に、コスト削減を図るインバータ装置を提供すること。【解決手段】このインバータ装置は、電源電圧が入力される一対の電源ラインと、前記一対の電源ラインから前記電源電圧が供給されるインバータ回路と、入力電圧を平滑化し、前記一対の電源ライン間に直列に接続された複数の平滑コンデンサと、前記一対の電源ライン間に直列に接続され、前記複数の平滑コンデンサとそれぞれ並列に接続された複数の抵抗からなるバランス抵抗と、前記一対の電源ライン間に直列に接続された複数の抵抗からなる放電抵抗と、を具備する構成を採る。【選択図】図１
2014180106.tif 000002
【特許請求の範囲】
【請求項１】
電源電圧が入力される一対の電源ラインと、
前記一対の電源ラインから前記電源電圧が供給されるインバータ回路と、
入力電圧を平滑化し、前記一対の電源ライン間に直列に接続された複数の平滑コンデンサと、
前記一対の電源ライン間に直列に接続され、前記複数の平滑コンデンサとそれぞれ並列に接続された複数の抵抗からなるバランス抵抗と、
前記一対の電源ライン間に直列に接続された複数の抵抗からなる放電抵抗と、
を具備するインバータ装置。
【請求項２】
前記放電抵抗の電流経路を開閉するスイッチと、
前記スイッチのオンオフを制御する制御手段と、
を具備する請求項１に記載のインバータ装置。
【請求項３】
前記制御手段は、前記電源電圧が絶たれたことを検出した際、前記スイッチをオンにして前記電流経路を閉にする、
請求項２に記載のインバータ装置。
【請求項４】
前記制御手段は、
前記バランス抵抗における前記複数の抵抗により分圧された第１の電圧を検出するとともに、
前記スイッチをオンに制御して前記放電抵抗における前記複数の抵抗により分圧された第２の電圧を検出する、
請求項２に記載のインバータ装置。
【請求項５】
前記制御手段は、検出した前記第１の電圧と前記第２の電圧とに基づいて、前記バランス抵抗および前記放電抵抗の故障を検出する、
請求項４に記載のインバータ装置。
【請求項６】
前記一対の電源ライン間に接続され、一定の放電電流を流す定電流回路を具備する、
請求項２に記載のインバータ装置。
【発明の詳細な説明】
【技術分野】
【０００１】
本発明は、放電機能を有するインバータ装置に関する。
【背景技術】
【０００２】
インバータ装置は、入力電圧を平滑化するための平滑コンデンサを備えていることが多く、インバータ装置の電源をオフにしても、平滑コンデンサには電荷が蓄えられた状態が継続する。このため、インバータ装置周辺の作業をする際、作業者が感電するおそれがある。
【０００３】
そこで、インバータ装置における平滑コンデンサを放電する技術が、例えば、特許文献１等に開示されている。特許文献１には、電源をオンオフするコンタクタがオフになると、放電用トランジスタがオン動作をし、平滑コンデンサの蓄積電荷が放電抵抗を流れて消費され、母線間電圧を短時間で低下させるインバータ制御装置が開示されている。
【先行技術文献】
【特許文献】
【０００４】
【特許文献１】特開２００３−８８１４４号公報
【発明の概要】
【発明が解決しようとする課題】
【０００５】
しかしながら、上述した特許文献１に開示のインバータ制御装置は、電源のオンオフ（電源供給の有無）を検出して放電用トランジスタを制御する手段が必要となるため、コストが増大するという問題がある。また、放電回路以外に放電経路が存在しないので、放電回路が故障した場合には、平滑コンデンサの放電を行うことができず、作業者が感電するおそれを排除できないという問題がある。
【０００６】
本発明の目的は、放電回路が故障した場合においても、平滑コンデンサの放電を行うと共に、コスト削減を図るインバータ装置を提供することである。
【課題を解決するための手段】
【０００７】
本発明のインバータ装置は、電源電圧が入力される一対の電源ラインと、前記一対の電源ラインから前記電源電圧が供給されるインバータ回路と、入力電圧を平滑化し、前記一対の電源ライン間に直列に接続された複数の平滑コンデンサと、前記一対の電源ライン間に直列に接続され、前記複数の平滑コンデンサとそれぞれ並列に接続された複数の抵抗からなるバランス抵抗と、前記一対の電源ライン間に直列に接続された複数の抵抗からなる放電抵抗と、を具備する構成を採る。
【発明の効果】
【０００８】
本発明によれば、放電回路が故障した場合においても、平滑コンデンサの放電を行うと共に、コスト削減を図ることができる。
【図面の簡単な説明】
【０００９】
【図１】本発明の実施の形態１に係るインバータ装置の回路構成を示す概念図
【図２】図１に示した制御部が備えるテーブルを示す図
【図３】図１に示したインバータ装置の故障診断処理手順を示すフロー図
【図４】図１に示したインバータ装置における故障診断処理手順を示すフロー図
【図５】コネクタが開放された後の放電処理に伴うコンデンサ電圧と放電電流の変化の様子を示す図
【図６】本発明の実施の形態２に係るインバータ装置の回路構成を示す概念図
【図７】図６に示したインバータ装置における通常サイクル処理手順を示すフロー図
【図８】図６に示したインバータ装置における故障診断処理手順を示すフロー図
【図９】コネクタが開放された後の放電処理に伴うコンデンサ電圧と放電電流の変化の様子を示す図
【図１０】本発明の実施の形態３に係るインバータ装置の回路構成を示す概念図
【図１１】コネクタが開放された後の放電処理に伴うコンデンサ電圧と放電電流の変化の様子を示す図
【図１２】電圧と暗電流の関係を示す図
【発明を実施するための形態】
【００１０】
以下、本発明の実施の形態について、図面を参照して詳細に説明する。
【００１１】
（実施の形態１）
図１は、本発明の実施の形態１に係るインバータ装置１００の回路構成を示す概念図である。以下、図１を用いてインバータ装置１００の構成について説明する。
【００１２】
一対の電源ラインである正極側母線１０１と負極側母線１０２との間には、高電圧電源１０３が接続されている。具体的には、高電圧電源１０３は、着脱自在のコネクタ１０４を介してインバータケース（図中、点線で示す枠）１０５とケーブルで接続されており、高電圧電源１０３がインバータケース１０５内の各部に高電圧を供給する。
【００１３】
平滑コンデンサＣ１、Ｃ２は、正極側母線１０１と負極側母線１０２との間に直列に接続され、高電圧電源１０３の出力電圧を平滑化する。
【００１４】
抵抗Ｒ１〜Ｒ３は、正極側母線１０１と負極側母線１０２との間に直列に接続され、バランス抵抗及び第１の放電抵抗として機能する。ここでは、平滑コンデンサＣ１とＣ２の配線と、抵抗Ｒ１とＲ２の間の配線とを結線しており、抵抗Ｒ１〜Ｒ３は、平滑コンデンサＣ１及びＣ２に印加される電圧が均等になるようにバランス抵抗として機能する。また、抵抗Ｒ２とＲ３の間の配線が、電圧を測定するため、後述する制御部１０８と接続されている。
【００１５】
抵抗Ｒ４〜Ｒ６は、正極側母線１０１と負極側母線１０２との間に直列に接続され、第２の放電抵抗として機能する。また、抵抗Ｒ５とＲ６の間の配線が、電圧を測定するため、後述する制御部１０８と接続されている。
【００１６】
このように、抵抗Ｒ１〜Ｒ３は、第１の放電抵抗として機能し、抵抗Ｒ４〜Ｒ６は、第２の放電抵抗として機能する。すなわち、放電回路を２系統とすることにより、一方がオープン故障した場合でも、他方で放電することができる。
【００１７】
インバータ回路１０６は、図示せぬ複数のスイッチング素子を備え、後述する制御部１０８からの制御に基づいて、スイッチング素子を動作させる。これにより、高電圧電源１０３から給電される直流電流を３相交流電流に変換して電動コンプレッサ１１１へ供給する。
【００１８】
低電圧電源１０７は、車両用バッテリ等の低電圧（例えば、１２ボルト）を制御部１０８に供給する。
【００１９】
制御部１０８は、通信Ｉ／Ｆ１０９を介した外部機器１１０からの指示に基づいて、インバータ回路１０６を制御し、３相交流電流の電流値及び角速度をそれぞれ目標値に近づける。また、制御部１０８は、図示せぬＡＤ変換器を内蔵しており、このＡＤ変換器が抵抗Ｒ１及びＲ２と、抵抗Ｒ３とによって分圧された電圧Ｖ１、及び、抵抗Ｒ４及びＲ５と、抵抗Ｒ６とによって分圧された電圧Ｖ２を検出し、検出したこれらの電圧Ｖ１、Ｖ２に基づいて、抵抗Ｒ１〜Ｒ６のいずれのオープン故障かを検出する。オープン故障が検出された場合には、該当する抵抗を通信Ｉ／Ｆ１０９を介して外部機器１１０に通知する。
【００２０】
ここで、例えば、抵抗Ｒ１または抵抗Ｒ２がオープン故障していた場合には、電圧Ｖ１はグランド（ＧＮＤ）レベル、電圧Ｖ２は正常（約１〜４Ｖ）となる。このように、各抵抗がオープン故障した場合の電圧Ｖ１及びＶ２は予め求められる。これをまとめたのが図２に示すテーブルであり、制御部１０８は、このテーブルを備えている。これにより、制御部１０８は、入力された電圧をテーブルに照合し、オープン故障した抵抗を特定することができる。なお、図２において、正常以外の「ＧＮＤレベルが入力される」「５Ｖが入力される」は異常を示す。
【００２１】
次に、上述したインバータ装置１００全体の処理の流れについて図３を用いて説明する。図３は、図１に示したインバータ装置１００の故障診断処理手順を示すフロー図である。
【００２２】
図３において、ステップ（以下、「ＳＴ」と省略する）２０１では、インバータ装置１００は、電動コンプレッサを駆動する通常サイクル処理を行い、ＳＴ２０２では、通常サイクル処理を開始して所定時間経過したか否かを判定する。所定時間経過した（ＹＥＳ）場合にはＳＴ２０３に移行し、所定時間を経過していない（ＮＯ）場合にはＳＴ２０１に戻る。
【００２３】
ＳＴ２０３では、インバータ装置１００は、後述する故障診断処理を行い、ＳＴ２０４では、ＳＴ２０３における故障診断処理の結果、故障があるか否かを判定し、故障がある（ＹＥＳ）場合にはインバータ装置１００の処理を終了し、故障がない（ＮＯ）場合にはＳＴ２０１に戻る。
【００２４】
図４は、図１に示したインバータ装置１００における故障診断処理手順を示すフロー図である。図４において、ＳＴ３０１では、制御部１０８は、電圧Ｖ１が正常か否かを判定し、正常であれば（ＹＥＳ）ＳＴ３０２に移行し、正常ではなければ（ＮＯ）ＳＴ３０６に移行する。
【００２５】
ＳＴ３０２では、制御部１０８は、電圧Ｖ２が正常か否かを判定し、正常であれば（ＹＥＳ）ＳＴ３０３に移行し、正常でなければ（ＮＯ）ＳＴ３０４に移行する。
【００２６】
ＳＴ３０３では、制御部１０８は、電圧Ｖ１及びＶ２の検出が正常に行われたと判定し、一方、ＳＴ３０４では、制御部１０８は、電圧Ｖ２が異常、すなわち、抵抗Ｒ４〜Ｒ６のいずれかがオープン故障していることを示すエラーコードを発行し、外部機器１１０に通知する。
【００２７】
ＳＴ３０５では、制御部１０８は、電圧Ｖ１が正常な電圧であるとして、電圧Ｖ１を用いて通常サイクル処理（ＳＴ２０１）を行うことを決定する。
【００２８】
ＳＴ３０６では、制御部１０８は、電圧Ｖ２が正常か否かを判定し、正常であれば（ＹＥＳ）ＳＴ３０７に移行し、正常でなければ（ＮＯ）ＳＴ３０８に移行する。
【００２９】
ＳＴ３０７では、制御部１０８は、電圧Ｖ１が異常、すなわち、抵抗Ｒ１〜Ｒ３のバランス抵抗のいずれかがオープン故障していると判断し、その旨を示すエラーコードを発行し、外部機器１１０に通知する。
【００３０】
ＳＴ３０８では、制御部１０８は、電圧Ｖ１及びＶ２が異常、すなわち、抵抗Ｒ１〜Ｒ３のいずれかと、抵抗Ｒ４〜Ｒ６のいずれかとがオープン故障しているか、または、制御部１０８内の電圧検出器が故障していると判断し、その旨を示すエラーコードを発行し、外部機器１１０に通知する。
【００３１】
図５は、コネクタ１０４が開放された後の放電処理に伴うコンデンサ電圧と放電電流の変化の様子を示す図である。図５（ａ）は、コンデンサ電圧の変化の様子を示し、図５（ｂ）は、放電電流の変化の様子を示す。特に、図５（ａ）より、最大電圧（約４００Ｖ）から安全電圧（５０Ｖ）まで５秒で到達することが分かる。
【００３２】
このように、実施の形態１のインバータ装置１００では、入力電圧を平滑化する平滑コンデンサＣ１及びＣ２を直列に接続し、平滑コンデンサＣ１及びＣ２に印加される電圧が均等になるように抵抗Ｒ１〜Ｒ３を直列に接続してバランス抵抗を設けると共に、このバランス抵抗を第１の放電抵抗としても機能させ、抵抗Ｒ４〜Ｒ６を直列に接続した第２の放電抵抗を設けて、放電回路を２系統とする。
【００３３】
これにより、２系統の放電回路のうち、一方がオープン故障した場合でも、他方で放電することができ、作業者が感電するおそれを排除できる。
【００３４】
また、実施の形態１のインバータ装置では、バランス抵抗の所定の抵抗にかかる電圧Ｖ１と、第２の放電抵抗の所定の抵抗にかかる電圧Ｖ２を検出する。これにより、検出した電圧Ｖ１、Ｖ２に基づいて、抵抗Ｒ１〜Ｒ６のいずれのオープン故障かを判断することができる。
【００３５】
（実施の形態２）
図６は、本発明の実施の形態２に係るインバータ装置４００の回路構成を示す概念図である。以下、図６を用いてインバータ装置４００の構成について説明する。
【００３６】
インバータ装置４００は、実施の形態１の図１に対して、抵抗Ｒ６と負極側母線１０２との間にトランジスタＴｒ１（スイッチに相当）を追加したものであり、トランジスタＴｒ１のコレクタが抵抗Ｒ６と接続し、エミッタが負極側母線１０２と接続し、ベースが制御部４０１と接続している。
【００３７】
制御部４０１は、通信Ｉ／Ｆ１０９を介して外部機器１１０からの指示に基づいて、インバータ回路１０６を制御し、３相交流電流の電流値及び角速度をそれぞれ目標値に近づける。また、制御部４０１は、抵抗Ｒ１及びＲ２と、抵抗Ｒ３とによって分圧された電圧Ｖ１、及び、抵抗Ｒ４及びＲ５と、抵抗Ｒ６とによって分圧された電圧Ｖ２を検出し、検出したこれらの電圧Ｖ１、Ｖ２に基づいて、抵抗Ｒ１〜Ｒ６のいずれのオープン故障かを検出する。オープン故障が検出された場合には、該当する抵抗を通信Ｉ／Ｆ１０９を介して外部機器１１０に通知する。さらに、制御部４０１は、トランジスタＴｒ１のオンオフを制御し、これにより、第２の放電抵抗の機能をオンオフする。
【００３８】
図７は、図６に示したインバータ装置４００における通常サイクル処理手順を示すフロー図である。図７において、ＳＴ５０１では、制御部４０１が電圧Ｖ１の読み値が規定値（例えば、２４０Ｖ）以上か否かを判定し、規定値以上であれば（ＹＥＳ）ＳＴ５０２に移行し、規定値未満であれば（ＮＯ）ＳＴ５０４に移行する。
【００３９】
ＳＴ５０２では、制御部４０１は、高電圧電源１０３が接続されていると判定し、ＳＴ５０３では、インバータ装置４００が電動コンプレッサを駆動する通常の処理を行う。
【００４０】
ＳＴ５０４では、制御部４０１は、高電圧電源１０３が接続されていない（電源電圧が絶たれた）と判定し、ＳＴ５０５では、トランジスタＴｒ１をオンにする。
【００４１】
ＳＴ５０６では、制御部４０１は、トランジスタＴｒ１をオンにしてから一定時間後（例えば、５秒後）の電圧Ｖ１が規定値（例えば、安全電圧５０Ｖ）以下であるか否かを判定し、規定値以下であれば（ＹＥＳ）ＳＴ５０８に移行し、規定値を超えれば（ＮＯ）ＳＴ５０７に移行する。
【００４２】
ＳＴ５０７では、抵抗Ｒ１〜Ｒ３のバランス抵抗のいずれかがオープン故障していると判断し、その旨を示すエラーコードを発行し、外部機器１１０に通知する。
【００４３】
ＳＴ５０８では、制御部４０１は、トランジスタＴｒ１をオフにし、ＳＴ５０９では、インバータ装置４００の処理を終了する。
【００４４】
このように、通常サイクル処理において、制御部４０１は、高電圧電源１０３が接続されていないと判断した場合に、トランジスタＴｒ１をオフからオンにして、第２の放電抵抗に電流を流す。これにより、放電時以外の通常時では、第２の放電抵抗には電流が流れず、暗電流を低減することができる。このため、第１の放電抵抗（バランス抵抗）の抵抗値を大きくすれば、第１の放電抵抗に流れる電流を少なくすることができるので、通常時も放電される第１の放電抵抗においても、暗電流も低減することができる。
【００４５】
図８は、図６に示したインバータ装置４００における故障診断処理手順を示すフロー図である。図８において、ＳＴ６０１では、制御部４０１は、電圧Ｖ１が正常か否かを判定し、正常であれば（ＹＥＳ）ＳＴ６０２に移行し、正常ではなければ（ＮＯ）ＳＴ６０８に移行する。
【００４６】
ＳＴ６０２では、制御部４０１は、トランジスタＴｒ１をオンし、ＳＴ６０３では、電圧Ｖ２が正常か否かを判定し、正常であれば（ＹＥＳ）ＳＴ６０４に移行し、正常でなければ（ＮＯ）ＳＴ６０５に移行する。
【００４７】
ＳＴ６０４では、制御部４０１は、電圧Ｖ１及びＶ２の検出が正常に行われたと判定し、一方、ＳＴ６０５では、制御部４００は、電圧Ｖ２が異常、すなわち、抵抗Ｒ４〜Ｒ６のいずれかがオープン故障していることを示すエラーコードを発行し、外部機器１１０に通知する。
【００４８】
ＳＴ６０６では、制御部４０１は、トランジスタＴｒ１をオフし、ＳＴ６０７では、電圧Ｖ１を用い通常サイクル処理（ＳＴ２０１）を行うことを決定し、インバータ装置４００は故障診断処理を終了する。
【００４９】
ＳＴ６０８では、制御部４０１は、トランジスタＴｒ１をオンし、ＳＴ６０９では、電圧Ｖ２が正常か否かを判定し、正常であれば（ＹＥＳ）ＳＴ６１０に移行し、正常でなければ（ＮＯ）ＳＴ６１１に移行する。
【００５０】
ＳＴ６１０では、制御部４０１は、電圧Ｖ１が異常、すなわち、抵抗Ｒ１〜Ｒ３のバランス抵抗のいずれかがオープン故障していると判断し、その旨を示すエラーコードを発行し、外部機器１１０に通知する。
【００５１】
ＳＴ６１１では、制御部４０１は、電圧Ｖ１及びＶ２が異常、すなわち、抵抗Ｒ１〜Ｒ３のいずれかと、抵抗Ｒ４〜Ｒ６のいずれかとがオープン故障しているか、または、制御部４０１内の電圧検出器が故障していると判断し、その旨を示すエラーコードを発行し、外部機器１１０に通知する。
【００５２】
ＳＴ６１２では、制御部４０１は、トランジスタＴｒ１をオフし、インバータ装置４００は故障診断処理を終了する。
【００５３】
このように、故障診断処理において、制御部４０１は、電圧Ｖ２を取得するため、トランジスタＴｒ１をオフからオンにして、第２の放電抵抗に電流を流す。このため、故障診断処理の頻度を少なくすれば、暗電流をより低減することができる。
【００５４】
図９は、コネクタ１０４が開放された後の放電処理に伴うコンデンサ電圧と放電電流の変化の様子を示す図である。図９では、コンデンサ電圧が最小電圧（２４０Ｖ）になった時点でトランジスタＴｒ１をオンにした様子を示す。なお、比較のため、実施の形態１での変化の様子を点線で示す。図９（ａ）は、コンデンサ電圧の変化の様子を示す。図９（ａ）より、最小電圧（２４０Ｖ）までは実施の形態１と比較して緩やかに降下するが、トランジスタＴｒ１をオンした後、急速に降下し、最大電圧（４００Ｖ）から安全電圧（５０Ｖ）まで５秒で到達することが分かる。なお、ここでは、インバータ装置７００において、最大電圧（４００Ｖ）から最小電圧（２４０Ｖ）までおよそ３．５秒となるようにバランス抵抗（抵抗Ｒ１〜Ｒ３）の抵抗値が設定されており、最小電圧（２４０Ｖ）から安全電圧（５０Ｖ）までおよそ１．５秒となるように第２の放電抵抗（抵抗Ｒ４〜Ｒ６）の抵抗値が設定されている。
【００５５】
図９（ｂ）は、放電電流の変化の様子を示す。図９（ｂ）より、トランジスタＴｒ１をオンするまでは実施の形態１と比較して少ない放電電流で緩やかに減少するが、トランジスタＴｒ１をオンした後、放電電流が急速に上昇し、速やかに放電が行われることが分かる。
【００５６】
このように、実施の形態２のインバータ装置４００では、抵抗Ｒ４〜Ｒ６を直列に接続した第２の放電抵抗にトランジスタＴｒ１を設けて、トランジスタＴｒ１をオンするタイミングを高電圧電源１０３が非接続なった場合及び電圧Ｖ１、Ｖ２を検出する場合に制限することにより、暗電流を低減し、消費電力を低減することができる。
【００５７】
なお、本実施の形態では、抵抗Ｒ６と負極側母線１０２との間に接続したトランジスタＴｒ１をスイッチとして用いる場合を例に説明した。しかし、本発明はトランジスタに限らず、機械式リレーなど、電流経路を通電または遮断できるものであればよい。
【００５８】
（実施の形態３）
図１０は、本発明の実施の形態３に係るインバータ装置７００の回路構成を示す概念図である。インバータ装置７００は、実施の形態２の図６に対して、バランス抵抗と第２の放電抵抗の間で正極側母線１０１と負極側母線１０２とに接続するカレントミラー回路７０１（定電流回路に相当）を追加したものである。
【００５９】
カレントミラー回路７０１は、トランジスタＴｒ２のコレクタ及びベースが低電圧電源１０７に接続し、エミッタが抵抗Ｒ７を介して負極側母線１０２に接続している。また、トランジスタＴｒ３のコレクタが正極側母線１０１に接続し、ベースが低電圧電源１０７に接続し、エミッタが負極側母線１０２に接続している。
【００６０】
また、カレントミラー回路７０１は、トランジスタＴｒ２と抵抗Ｒ７とが一定の電流を流す定電流源であり、トランジスタＴｒ３と抵抗Ｒ８とが所定のミラー比でＴｒ２の電流を転写する。
【００６１】
このようなカレントミラー回路７０１は、定電流回路となることが知られており、バランス抵抗に流れる電流を少なくする、すなわち、バランス抵抗の抵抗値を大きく設定することにより、暗電流を低減することができる。これについて図１１を用いて説明する。
【００６２】
図１１は、コネクタ１０４が開放された後の放電処理に伴うコンデンサ電圧と放電電流の変化の様子を示す図である。図１１では、コンデンサ電圧が最小電圧（２４０Ｖ）になった時点でトランジスタＴｒ１をオンにした様子を示す。なお、比較のため、実施の形態２での変化の様子を点線で示す。図１１（ａ）は、コンデンサ電圧の変化の様子を示し、図１１（ｂ）は、放電電流の変化の様子を示す。
【００６３】
図１１（ａ）に示すように、コンデンサ電圧は、実施の形態２と同様に変化し、最大電圧（４００Ｖ）から安全電圧（５０Ｖ）まで５秒で到達する。また、図１１（ｂ）に示すように、トランジスタＴｒ１をオンするまでは一定の電流値で放電されるが、トランジスタＴｒ１をオンした後、放電電流が急速に上昇し、速やかに放電が行われる。また、定格電圧を例えば、３５０Ｖとする場合、定格電圧以上では、放電電流を実施の形態２に比べて低減できることが分かる。この放電電流は、インバータ装置７００の通常処理時における暗電流に相当するため、暗電流を低減することができる。
【００６４】
次に、電圧と暗電流の関係について図１２を用いて説明する。図１２では、比較のため、実施の形態１のインバータ装置１００における関係を点線で示し、実施の形態２のインバータ装置４００における関係を一点鎖線で示し、実施の形態３のインバータ装置７００における関係を実線で示す。また、図１２では、２４０Ｖ以下を異常電圧範囲とし、２７０Ｖ〜４００Ｖまでを実用電圧範囲とする。また、定格電圧を３５０Ｖとする。
【００６５】
図１２より、定格電圧付近より高い電圧では、本実施の形態のインバータ装置７００が最も暗電流が小さいことが分かる。一方、異常電圧範囲の大部分では、本実施の形態のインバータ装置７００が最も暗電流が大きくなるが、異常電圧になる頻度は少ないので、特段問題になることはない。
【００６６】
このように、実施の形態３のインバータ装置７００では、バランス抵抗と第２の放電抵抗の間で正極側母線１０１と負極側母線１０２とに接続するカレントミラー回路７０１を設けて定電流源とすると共に、第１の放電抵抗として機能させることにより、暗電流を低減し、消費電力を低減することができる。
【００６７】
なお、本実施の形態では、定電流回路の一例として、カレントミラー回路を例に説明したが、本発明はこれに限らず、一定の放電電流を流す回路であれば、どのような構成でもよい。
【００６８】
また、上記各実施の形態では、電動コンプレッサを駆動するインバータ装置を例に説明したが、本発明は電動コンプレッサに限らず、様々な電子機器を駆動するインバータ装置に適用できる。
【産業上の利用可能性】
【００６９】
本発明にかかるインバータ装置は、電動コンプレッサのモータ、電気自動車の走行用モータ等、数百Ｖの高電圧で駆動する機器に適用できる。
【符号の説明】
【００７０】
１００、４００、７００  インバータ装置
１０１  正極側母線
１０２  負極側母線
１０３  高電圧電源
１０４  コネクタ
１０５  インバータケース
１０６  インバータ回路
１０７  低電圧電源
１０８、４０１  制御部
１０９  通信Ｉ／Ｆ
１１０  外部機器
１１１  電動コンプレッサ
７０１  カレントミラー回路
Ｃ１、Ｃ２  平滑コンデンサ
Ｒ１〜Ｒ８  抵抗
Ｔｒ１〜Ｔｒ３  トランジスタ
【図１】
2014180106.tif 000003
【図２】
2014180106.tif 000004
【図３】
2014180106.tif 000005
【図４】
2014180106.tif 000006
【図５】
2014180106.tif 000007
【図６】
2014180106.tif 000008
【図７】
2014180106.tif 000009
【図８】
2014180106.tif 000010
【図９】
2014180106.tif 000011
【図１０】
2014180106.tif 000012
【図１１】
2014180106.tif 000013
【図１２】
2014180106.tif 000014